【手続補正書】
【提出日】令和2年6月24日(2020.6.24)
【手続補正１】
【補正対象書類名】明細書
【補正対象項目名】０００３
【補正方法】変更
【補正の内容】
【０００３】
【特許文献１】特開昭５６−５３７４５号公報
【手続補正２】
【補正対象書類名】明細書
【補正対象項目名】００１６
【補正方法】変更
【補正の内容】
【００１６】
生理用ナプキン１０は、表面シート１１、裏面シート１２及びサイドシート１４から形成された、吸収体２０の第１及び第２端縁２０ａ，２０ｂの縦方向Ｙの外側において横方向Ｘへ延びる両端部１６と、吸収体２０の第１及び第２側縁２０ｃ，２０ｄの横方向Ｘの外側において縦方向Ｙへ延びる両側縁部１７とを有する。生理用ナプキン１０の縦方向Ｙの中央部分には、横方向Ｘの外側へ凸となる、両側縁部１７の一部によって形成されたウイング部１８が位置する。また、互いに積層されたシート１１，１２，１４は、生理用ナプキン１０の外周縁に沿って位置する外周シール部１９を介して互いに接合されている。
【手続補正３】
【補正対象書類名】明細書
【補正対象項目名】００２６
【補正方法】変更
【補正の内容】
【００２６】
また、コアカバーシート２２は、例えば、レーヨン繊維等の再生セルロース繊維、半合成セルロース繊維等の親水性繊維から構成された第１層（上層又は下層）と、脱リグニン処理がなされていない未漂白パルプ繊維４２からなる第２層（下層又は上層）とからなる複層構造を有していてもよい。かかる場合には、後記のとおり、第２層が低リグニン域５１と高リグニン域５２とからなる海島構造を有する場合であっても、第１層において体液を十分に拡散することができるので、コアカバーシート２２全体における体液の拡散のムラを抑制することができる。それによって、複数回に渡って体液を吸収した後であっても、表面シート１１との接合性の低下を抑制することができるとともに、好適な吸液性を維持することができる。
【手続補正４】
【補正対象書類名】明細書
【補正対象項目名】００３５
【補正方法】変更
【補正の内容】
【００３５】
高リグニン域５２は、コアカバーシート２２における周辺域である低リグニン域５１よりもリグニン成分の含有量が高い領域を意味することから、漂白パルプ繊維４１と未漂白パルプ繊維４２とを混在したシートを用いなくても形成することができる。例えば、レーヨン繊維や合成繊維からなる繊維不織布シートにリグニン成分の含有液を散点的に滲入させることによって、周辺域よりもリグニン成分の含有量の高い高リグニン域５２を形成することができる。
【手続補正５】
【補正対象書類名】明細書
【補正対象項目名】００４１
【補正方法】変更
【補正の内容】
【００４１】
また、親水性の低リグニン域５１では、経血を吸収して漂白パルプ繊維が膨潤することによって、表面シート１１とコアカバーシート２２とのホットメルト接着剤を介した接合界面において接合部分が剥離して接合強度が低下するおそれがある。一方、高リグニン域５２は、低リグニン域５１よりも親水性が低く、疎水性であることから、経血を吸収して膨潤し難く、接合部分が剥離することはなく、コアカバーシート２２と表面シート１１との接合界面における接合強度が、低リグニン域５１に比べて高くなる。
【手続補正６】
【補正対象書類名】明細書
【補正対象項目名】００４２
【補正方法】変更
【補正の内容】
【００４２】
したがって、コアカバーシート２２全体が低リグニン域５１から形成される場合に比べて、コアカバーシート２２と表面シート１１との接合強度が高くなって、着用中における表面シート１１の吸収体２０からの剥離や浮き上がりを抑制することができる。また、両シート１１，２２の接合強度を上げるために接着剤量を増やす場合には、シート剛性が高くなって柔軟性及び透液性が低下するおそれがあるが、かかる不利益を生じることがない。
【手続補正７】
【補正対象書類名】明細書
【補正対象項目名】００４３
【補正方法】変更
【補正の内容】
【００４３】
加えて、吸液性コア２１は、主としてＳＡＰ粒子と漂白処理したフラッフパルプを含み、オプションとしてセルロース系繊維を有することがあるが、未漂白パルプ繊維４２を含むものではなく、コアカバーシート２２に比してリグニン含有量が低くなっている。そのために、表面シート１１を透過してコアカバーシート２２に吸収、拡散された経血は、コアカバーシート２２に比べて親水度合いの高い吸液性コア２１に引き込まれるように速やかに移行されやすくなる。
【手続補正８】
【補正対象書類名】明細書
【補正対象項目名】００４７
【補正方法】変更
【補正の内容】
【００４７】
再び、図３を参照すると、吸収体２０の横方向Ｘの中央部分には、コアカバーシート２２の両側縁部２２ａ，２２ｂが互いに積層されてなる重畳部分２３が位置している。重畳部分２３はコアカバーシート２２が折り重ねられている部分であるから、吸収体２０の他の部分に比べて未漂白パルプ繊維による薄茶色がより濃く視認され、外観視において縦方向Ｙへ延びるラインとして意匠的なアクセントとなりうる。また、かかる縦方向Ｙへ延びるラインを吸収体２０の中央部分を示す目印として捉えて、生理用ナプキン１０を下着等に貼付するときの位置決めに利用することもできる。さらに、吸液性コア２１が多量の経血を吸収してその両端縁から経血が滲出する場合であっても、その両端縁の縦方向Ｙの外側に疎水性の高リグニン域５２を比較的に多く含んだ重畳部分２３が位置することによって、経血が吸収体２０の両側縁部２０ａ，２０ｂから外側へ滲出するのを効果的に抑制することができる。
【手続補正９】
【補正対象書類名】明細書
【補正対象項目名】００５８
【補正方法】変更
【補正の内容】
【００５８】
さらに、表面シート１１が、複層構造を有し、肌対向面側に位置する層（上層）を主としてコットン繊維、非肌対向面側に位置する層（下層）を主として疎水性の合成樹脂繊維からそれぞれ形成することもできる。かかる場合には、表面シート１１が肌側に吸水性のコットン繊維を含むにも拘わらず、表面シート１１のクレム吸水度がコアカバーシート２２のクレム吸水度よりも低くなる。表面シート１１のクレム吸水度がコアカバーシート２２のクレム吸水度よりも低くなることによって、生理用ナプキン１０の表面において体液を拡散させずに、それよりも吸収体２０に近いコアカバーシート２２において体液を拡散させることができるとともに、吸収体２０に吸収された体液が表面側へ液戻りすること（リウエットバック）を抑制することができる。
【手続補正１０】
【補正対象書類名】明細書
【補正対象項目名】００６７
【補正方法】変更
【補正の内容】
【００６７】
図８（ｂ）は、第２実施形態に係る生理用ナプキン１０の変形例における、図８（ａ）と同様の断面図である。
【手続補正１１】
【補正対象書類名】明細書
【補正対象項目名】００６８
【補正方法】変更
【補正の内容】
【００６８】
図８（ｂ）を参照すると、本変形例に係る凹状部６０は、吸液層１３を厚さ方向Ｚへ貫通する開口から形成される。凹状部６０の底面には、不透液性の裏面シート１２が位置することから、貫通開口に溜まった体液は外部に漏れ出ることはなく、開口の周面壁から吸収体２０に吸収、保持される。
【手続補正１２】
【補正対象書類名】明細書
【補正対象項目名】００６９
【補正方法】変更
【補正の内容】
【００６９】
＜第３実施形態＞
図９は、本発明に係る吸収性物品の使用例の一例を示すものであって、本使用例においては、吸収体２０は、使い捨ておむつ（吸収性物品）８０に使用されている。使い捨ておむつ８０は、前後ウエストパネル８４，８５の両側縁部を接合するサイドシームを剥離して、横方向及び縦方向へ伸展した状態を示されている。
【手続補正１３】
【補正対象書類名】明細書
【補正対象項目名】００７０
【補正方法】変更
【補正の内容】
【００７０】
使い捨ておむつ８０は、前ウエスト域８１と、後ウエスト域８２と、前後ウエスト域８１，８２間に位置するクロッチ域８３とを有する。また、使い捨ておむつ８０は、前ウエスト域８１とクロッチ域８３の一部を画成する前ウエストパネル８４と、後ウエスト域８２とクロッチ域８３の一部を画成する後ウエストパネル８５と、前後ウエストパネル８４，８５の肌対向面側において縦方向へ延びる吸液構造体８６とを備え、前後ウエストパネル８４，８５の両側縁部どうしが互いに重ね合された状態において、縦方向へ間隔を空けて配置された複数のシーム部を介して互いに接合されることによって、ウエスト開口と一対のレッグ開口とが画成される。吸収体２０は、吸液構造体８６内においてクロッチ域８３から前後ウエスト域８１，８２に延在している。
【手続補正１４】
【補正対象書類名】明細書
【補正対象項目名】００７１
【補正方法】変更
【補正の内容】
【００７１】
使い捨ておむつ８０は、予め前後ウエスト域８１，８２の両側縁部が接合された、いわゆるパンツ型であって、生理用ナプキン１０と同様に、吸収体２０は、吸液性コア２１とそれを被覆するコアカバーシート２２とから構成されており、コアカバーシート２２は、低リグニン域５１からなる周辺域と、周辺域に散在する複数の高リグニン域５２とを含む。吸収体２０は、コアカバーシート２２の薄茶色が使い捨ておむつ８０の内面視及び／又は外面視において透視されることによって、天然材料を使用したナチュラル感な製品イメージを与えるとともに抗菌性に優れ、排尿や軟便等の体液をコアカバーシート２２から吸液性コア２１へ速やかに移行させることができる。なお、本発明に係る吸収性物品としては、パンツ型おむつだけではなく、開放型おむつであってもよい。